(57)【特許請求の範囲】
【請求項１】
外部の画像形成装置に接続され、読取画像にスタンプ画像を組み込むスタンプ機能を有する画像形成装置であって、
少なくとも一言語のスタンプ画像と、そのスタンプ画像で使用される言語情報とを対応付けて記憶するスタンプ画像記憶手段と、
自装置の仕向け情報を記憶する仕向け情報記憶手段と、
前記スタンプ画像記憶手段に記憶されたスタンプ画像を、前記外部の画像形成装置に出力するために、前記外部の画像形成装置との通信情報に基づいて、前記外部の画像形成装置がスタンプ機能を有するか否かを判定する判定手段と、
自装置に接続された前記外部の画像形成装置との通信より、前記外部の画像形成装置の仕向け情報を取得する取得手段と、
前記仕向け情報記憶手段に記憶された自装置の仕向け情報と、前記取得手段により取得した前記外部の画像形成装置の仕向け情報とを比較する比較手段と、
前記判定手段による判定結果及び前記比較手段による比較結果に基づいて、前記スタンプ画像の出力に必要なスタンプ出力情報を決定して前記外部の画像形成装置に送信する送信手段と、
前記判定手段により、前記外部の画像形成装置にスタンプ機能がないと判定された場合、前記スタンプ画像記憶手段から、前記外部の画像形成装置に出力予定のスタンプ画像を取り出し、取り出したスタンプ画像と、前記読取画像との合成処理を行う画像処理手段と、
を備え、
前記スタンプ画像記憶手段に、前記外部の画像形成装置の仕向け情報に対応した仕向け言語で前記出力予定のスタンプ画像と同種のスタンプ画像が記憶されているときは、前記画像処理手段は、前記スタンプ画像記憶手段から当該スタンプ画像を取り出し、取り出したスタンプ画像と前記読取画像との合成処理を行い、
前記送信手段は、前記スタンプ出力情報として、前記画像処理手段により合成処理が行われた画像を送信すること、
を特徴とする画像形成装置。
【発明の詳細な説明】
【０００１】
【発明の属する技術分野】
本発明は、画像形成装置に係り、詳細には、スタンプ機能を有する画像形成装置に関する。
【０００２】
【従来の技術】
近年、ネットワークや専用ケーブルを介して複数台の複写機（画像形成装置）が接続された複写機システムが構築され、１台の複写機のスキャナ部で読み取った画像を、上記ネットワークや専用ケーブルを介して複数台の複写機で印刷出力することが可能になってきた。また、近年の複写機には、印刷出力する画像に、「丸秘」等のスタンプ画像を組み込ませる機能が搭載されてきている。
【０００３】
【発明が解決しようとする課題】
しかしながら、上述の複写機システムにおいて、仕向けの異なる複写機にスタンプ画像を印刷出力する場合、印刷指定されたスタンプ画像と、出力先となる複写機に印字されるスタンプ画像が異なったり、指定された印字文字が出力先複写機に搭載されていないために、正常にスタンプ画像が出力されないことがあった。また、出力先の複写機にスタンプ機能が搭載されていないために、スタンプ画像そのものが出力されないこともあった。
【０００４】
本発明の課題は、スタンプ機能を有し、外部の画像形成装置への画像出力が可能な画像形成装置において、どのような種類の画像形成装置に対しても、適切なスタンプ画像出力を可能にすることである。
【００２１】
【課題を解決するための手段】
請求項１記載の発明は、
外部の画像形成装置に接続され、読取画像にスタンプ画像を組み込むスタンプ機能を有する画像形成装置であって、
少なくとも一言語のスタンプ画像と、そのスタンプ画像で使用される言語情報とを対応付けて記憶するスタンプ画像記憶手段と、
自装置の仕向け情報を記憶する仕向け情報記憶手段と、
前記スタンプ画像記憶手段に記憶されたスタンプ画像を、前記外部の画像形成装置に出力するために、前記外部の画像形成装置との通信情報に基づいて、前記外部の画像形成装置がスタンプ機能を有するか否かを判定する判定手段と、
自装置に接続された前記外部の画像形成装置との通信より、前記外部の画像形成装置の仕向け情報を取得する取得手段と、
前記仕向け情報記憶手段に記憶された自装置の仕向け情報と、前記取得手段により取得した前記外部の画像形成装置の仕向け情報とを比較する比較手段と、
前記判定手段による判定結果及び前記比較手段による比較結果に基づいて、前記スタンプ画像の出力に必要なスタンプ出力情報を決定して前記外部の画像形成装置に送信する送信手段と、
前記判定手段により、前記外部の画像形成装置にスタンプ機能がないと判定された場合、前記スタンプ画像記憶手段から、前記外部の画像形成装置に出力予定のスタンプ画像を取り出し、取り出したスタンプ画像と、前記読取画像との合成処理を行う画像処理手段と、
を備え、
前記スタンプ画像記憶手段に、前記外部の画像形成装置の仕向け情報に対応した仕向け言語で前記出力予定のスタンプ画像と同種のスタンプ画像が記憶されているときは、前記画像処理手段は、前記スタンプ画像記憶手段から当該スタンプ画像を取り出し、取り出したスタンプ画像と前記読取画像との合成処理を行い、
前記送信手段は、前記スタンプ出力情報として、前記画像処理手段により合成処理が行われた画像を送信すること、
を特徴としている。
【００２３】
【発明の実施の形態】
以下、図を参照して本発明の実施の形態を詳細に説明する。
ここで、特許請求の範囲における画像形成装置と、本実施の形態の複写機Ａ内の各構成要素との対応関係を明示する。特許請求の範囲におけるスタンプ画像記憶手段は、スタンプ画像保存部１０に対応し、指定手段、及び言語指定手段は、操作部２に対応し、判定手段は、通信情報解析部７に対応し、送信手段、及び取得手段は、通信部３に対応する。また、画像処理手段は、画像処理部６に対応し、出力制御手段は、制御部１に対応し、仕向け情報記憶手段は、仕向情報部９に対応し、比較手段は、仕向情報比較部８に対応する。
【００２４】
まず、構成を説明する。
図１は、本発明の画像形成装置を適用した複写機Ａを含む複写機システム１００の構成を示す図である。図１に示すように、複写機システム１００は、複数の複写機Ａ、Ｂ、Ｃ、Ｄ、…が、ＬＡＮ（Local Area Network）等のネットワークにより接続されている。
【００２５】
図２は、本発明の画像形成装置を適用した複写機Ａの要部構成を示すブロック図である。複写機Ａは、スタンプ機能を有する複写機で、図２に示すように、制御部１、操作部２、通信部３、スキャナ部４、プリンタ部５、画像処理部６、通信情報解析部７、仕向情報比較部８、仕向情報部９、スタンプ画像保存部１０により構成される。
【００２６】
制御部１は、図示しないＲＯＭ（Read Only Memory）に格納された複写機用の制御プログラムに従って、各種の制御動作を行う。
【００２７】
操作部２は、複写機Ａの設定や動作指示を入力するための各種操作キーを備え、これら操作キーの押下信号を制御部１に出力する。また、操作部２は、表示部（図示略）としての機能を有する操作パネル（タッチパネル）を備えている。この操作パネルは、ＬＣＤ（Liquid Crystal Display）等により構成された表示部を覆うように設けられ、電磁誘導式、磁気歪式、感圧式等の座標読み取り原理でタッチ指示された座標を検出し、検出した座標を位置信号として制御部１に出力する。表示部としての操作パネルは、制御部１から入力される表示制御信号に従って、所要の表示を行う。
【００２８】
通信部３は、上記ネットワークを介して、他の複写機との間で、動作コマンドや画像情報等の送受信を行う。
【００２９】
スキャナ部４は、光源、ＣＣＤ（Charged Coupled Device）、Ａ／Ｄ変換器等により構成され、複写機Ａの原稿台に載置された原稿に光を照射し、その反射光をＣＣＤにより電気信号（アナログ信号）に変換し、Ａ／Ｄ変換器により、このアナログ信号をデジタルデータに変換する。
【００３０】
プリンタ部５は、制御部１により印刷指示のあった画像を、電子写真方式やインクジェット方式等の印刷方式で、記録用紙に印刷出力する。
【００３１】
画像処理部６は、スキャナ部４で読み込まれた画像データに、スタンプ画像を組み込む画像合成を行う。
【００３２】
通信情報解析部７は、通信部３による他の複写機との通信によって得たデータを解析する。具体的には、スタンプ画像の出力先となる複写機から受信したデータを解析し、解析結果から出力先複写機のスタンプ機能の有無を判定する。
【００３３】
仕向情報比較部８は、仕向情報部９に格納された自機の仕向け情報と、通信部３による通信で取得された他の複写機の仕向け情報とを比較する。
【００３４】
仕向情報部９は、複写機Ａの仕向け情報として、複写機Ａが設置される地域（仕向け地）の言語、電源仕様、変倍仕様、コピー枚数のカウント方式等の情報を格納している。
【００３５】
スタンプ画像保存部１０は、少なくとも一言語のスタンプ画像と、そのスタンプ画像の言語情報とを対応付けて記憶している。
【００３６】
次に、本実施の形態の動作を説明する。
図３〜図５のフローチャートを参照して、本発明を適用した複写機Ａが他の複写機にスタンプ画像の出力命令を送信する際の処理について説明する。以下のフローチャートでは、複写機Ａで選択されたスタンプ画像を、図１で示した複写機Ｂにて出力する場合の処理について説明する。また、以下では、複写機Ａと複写機Ｂの仕向け言語は異なる（例えば、複写機Ａは日本語仕様、複写機Ｂは英語仕様）ものとする。
【００３７】
操作部２より、スタンプ機能が選択されると（ステップＳ１）、操作部２の操作パネルには、スタンプ画像保存部１０に保存されているスタンプ画像情報が表示される（ステップＳ２）。
【００３８】
操作パネルに表示されたスタンプ画像情報の中から、複写機Ａのオペレータによる操作パネル上の操作により、出力予定のスタンプ画像が選択されると（ステップＳ３）、操作パネルの画面は、複写機の選択画面に切り替わり、スタンプ画像の出力先候補となる複写機の一覧が表示される（ステップＳ４）。
【００３９】
そして、操作パネルに表示された複写機一覧から、操作パネル上の操作により、スタンプ画像を出力する複写機が選択される（ステップＳ５）。以下では、スタンプ画像の出力先として、複写機Ｂが選択されたものとする。なお、スタンプ機能選択後に、出力先の複写機の選択を行うようにしたが、この順番は逆であってもよい。
【００４０】
ステップＳ４において、操作パネルに表示された複写機一覧の中に、出力先とする複写機が含まれていなければ、オペレータは、該当する複写機を複写機一覧表示に追加させるために、当該複写機に関する情報を操作部２により新規入力する。なお、一覧表示される複写機を、操作部２により入力する方法の他に、複写機に設定されているネットマスク情報とＩＰアドレスをもとに、通信部３から、現在の接続状況を調べるコマンドを送信して、このコマンドに対して応答があった複写機を表示する方法がある。
【００４１】
ステップＳ５において、スタンプ画像の出力先となる複写機Ｂが選択されると、通信部３を介して、上記ネットワークに接続された複写機Ｂの状態を確認するための通信が開始される（ステップＳ６）。このステップＳ６の通信では、複写機Ｂから、応答コードとオプション等が返される仕組みになっている。オプションには、複写機Ｂに保存されているスタンプ画像の種類や、言語情報が含まれる。
【００４２】
ステップＳ６の通信開始から所定の時間が経過しても複写機Ｂから応答コードが返ってこず、何らかの原因で複写機Ｂと通信できない場合（ステップＳ７；ＮＯ）、操作パネルには、タイムアウトエラーが表示され、本処理が終了する。
【００４３】
複写機Ａに応答コードやオプションが返され、複写機Ｂとの通信が可能な場合は（ステップＳ７；ＹＥＳ）、通信情報解析部７において、当該オプションのデータが解析され（ステップＳ８）、この解析結果から複写機Ｂにスタンプ機能があるか否かが判定される（ステップＳ９）。
【００４４】
ステップＳ８のオプションデータ解析の結果、複写機Ｂにスタンプ機能があると判定されると（ステップＳ９；ＹＥＳ）、仕向情報比較部８において、仕向情報部９に格納されている複写機Ａの仕向け情報と、複写機Ｂとの通信で取得した複写機Ｂの仕向け情報とが比較される（ステップＳ１０）。
【００４５】
次いで、スタンプ画像の使用言語選択のために、操作パネルに、「複写機Ａの仕向け言語で出力するか、複写機Ｂの仕向け言語で出力するか」が表示され、操作パネル上の操作により、複写機Ａの仕向け言語か、複写機Ｂの仕向け言語の何れかが選択される（ステップＳ１１）。
【００４６】
ステップＳ１１の言語選択において、「複写機Ａの仕向け言語で出力する」が選択された場合（ステップＳ１２；ＹＥＳ）、通信情報解析部７において、ステップＳ６の通信で得られた複写機Ｂに関するデータが解析され、複写機Ｂに、複写機Ａの仕向け言語のスタンプがあるか否かが判定される（ステップＳ１３）。
【００４７】
ステップＳ１３において、複写機Ｂに、複写機Ａの仕向け言語のスタンプがあると判定されると（ステップＳ１３；ＹＥＳ）、スキャナ部４において原稿台に載置された原稿が読み込まれ、読み込まれた原稿画像（スキャナ画像）と、スタンプ情報（スタンプの種類、言語、出力する位置情報）が、通信部３を介して複写機Ｂに送信され（ステップＳ１４）、本処理が終了する。
【００４８】
ステップＳ１３において、複写機Ｂに、複写機Ａの仕向け言語のスタンプがないと判定されると（ステップＳ１３；ＮＯ）、スキャナ部４において原稿台に載置された原稿が読み込まれ、読み込まれた原稿画像（スキャナ画像）と、スタンプ情報と、複写機Ａの仕向け言語でのスタンプの画像データが、通信部３を介して複写機Ｂに送信され（ステップＳ１５）、本処理が終了する。
【００４９】
ステップＳ１２に戻り、ステップＳ１１の言語選択において、「複写機Ｂの仕向け言語で出力する」が選択された場合（ステップＳ１２；ＮＯ）、通信情報解析部７において、ステップＳ６の通信で得られた複写機Ｂに関するデータが解析され、複写機Ｂに、ステップＳ３で選択されたスタンプと同一種類のスタンプがあるか否かが判定される（ステップＳ１６）。
【００５０】
ステップＳ１６において、複写機Ｂに、上記同一種類のスタンプがあると判定されると（ステップＳ１６；ＹＥＳ）、スキャナ部４の原稿台に載置された原稿が読み込まれ、読み込まれた原稿画像（スキャナ画像）と、スタンプ情報が、通信部３を介して複写機Ｂに送信され（ステップＳ１７）、本処理が終了する。
【００５１】
ステップＳ１６において、複写機Ｂに、上記同一種類のスタンプがないと判定されると（ステップＳ１６；ＮＯ）、スタンプ画像保存部１０の中で、複写機Ｂの仕向け言語での上記種類のスタンプが検索される。検索の結果、複写機Ａに、複写機Ｂの仕向け言語での上記種類のスタンプがある場合（ステップＳ１８；ＹＥＳ）、スタンプ画像保存部１０から、当該スタンプが取り出され、スキャナ部４において読み込まれた原稿画像（スキャナ画像）と、スタンプ情報と、上記取り出されたスタンプの画像データが、通信部３を介して複写機Ｂに送信され（ステップＳ１９）、本処理が終了する。
【００５２】
スタンプ画像保存部１０の中で、複写機Ｂの仕向け言語での上記種類のスタンプ検索を行った結果、複写機Ａに、複写機Ｂの仕向け言語での上記種類のスタンプがない場合（ステップＳ１８；ＮＯ）、制御部１により、複写機Ａが通信部３を介してインターネットに接続されているか否かが判定される（ステップＳ２０）。
【００５３】
ステップＳ２０において、複写機Ａがインターネットに接続されていると判定されると（ステップＳ２０；ＹＥＳ）、通信部３を介して、インターネット上で複写機Ｂの仕向け言語での上記種類のスタンプが検索される。
【００５４】
インターネット上での検索の結果、インターネット上に上記スタンプ画像のデータがある場合（ステップＳ２１；ＹＥＳ）、当該スタンプ画像データが取得され、スキャナ部４で読み込まれた原稿画像（スキャナ画像）と、スタンプ情報と、上記取得されたスタンプ画像データが、通信部３を介して複写機Ｂに送信され（ステップＳ２２）、本処理が終了する。
【００５５】
ステップＳ２０において、複写機Ａがインターネットに接続されていないと判定されると（ステップＳ２０；ＮＯ）、操作パネルに「スタンプ画像なし」が表示され（ステップＳ２３）、本処理が終了する。
【００５６】
また、複写機Ａがインターネットに接続されていても、インターネット上に上記スタンプ画像データが存在しない場合（ステップＳ２１；ＮＯ）、ステップＳ２３に移行され、操作パネルに「スタンプ画像なし」が表示され、本処理が終了する。
【００５７】
ステップＳ９に戻って、ステップＳ８のオプションデータ解析の結果、複写機Ｂにスタンプ機能がないと判定されると（ステップＳ９；ＮＯ）、操作パネルには、「複写機Ｂにスタンプ機能なし」が表示される（ステップＳ３０）。次いで、仕向情報比較部８において、仕向情報部９に格納されている複写機Ａの仕向け情報と、複写機Ｂとの通信で取得された複写機Ｂの仕向け情報とが比較される（ステップＳ３１）。
【００５８】
次いで、スタンプ画像の使用言語の選択のために、操作パネルに、「複写機Ａの仕向け言語で出力するか、複写機Ｂの仕向け言語で出力するか、出力をあきらめるか」が表示され、操作パネル上の操作により、上記三者のうちの何れかがが選択される（ステップＳ３２）。ステップＳ３２の言語選択において、「出力をあきらめる」が選択された場合（ステップＳ３３；ＹＥＳ）、制御部１により、スタンプ画像出力のための一連の動作が停止され、本処理が終了する。
【００５９】
ステップＳ３２の言語選択において、「複写機Ａの仕向け言語で出力する」が選択された場合（ステップＳ３４；ＹＥＳ）、スキャナ部４において原稿が読み込まれ、スタンプ画像保存部１０から、複写機Ａの仕向け言語でのスタンプ画像データが取り出される（ステップＳ３５）。そして、画像処理部６において、スキャナ部４で読み込まれた画像データ（スキャン画像）に、スタンプ画像保存部１０から取り出されたスタンプ画像データが組み込まれ（ステップＳ３６）、スタンプ画像が組み込まれた画像データが、通信部３を介して複写機Ｂに送信され（ステップＳ３７）、本処理が終了する。
【００６０】
ステップＳ３２の言語選択において、「複写機Ｂの仕向け言語で出力する」が選択された場合（ステップＳ３４；ＮＯ）、スタンプ画像保存部１０の中で、複写機Ｂの仕向け言語で、ステップＳ３で選択されたスタンプと同種類のスタンプが検索される（ステップＳ３８）。
【００６１】
ステップＳ３８において、スタンプ画像保存部１０に、複写機Ｂの仕向け言語での上記種類のスタンプがある場合（ステップＳ３８；ＹＥＳ）、スタンプ画像保存部１０から、該当するスタンプ画像が取り出される（ステップＳ３９）。そして、画像処理部６において、スキャナ部４で読み込まれた画像データ（スキャナ画像）に、スタンプ画像保存部１０から取り出されたスタンプ画像データが組み込まれ（ステップＳ４０）、このスタンプ画像が組み込まれた画像データが、通信部３を介して複写機Ｂに送信され（ステップＳ４１）、本処理が終了する。
【００６２】
ステップＳ３８において、スタンプ画像保存部１０に、複写機Ｂの仕向け言語での上記種類のスタンプが存在しない場合（ステップＳ３８；ＮＯ）、制御部１により、複写機Ａが通信部３を介してインターネットに接続されているか否かが判定される（ステップＳ４２）。
【００６３】
ステップＳ４２において、複写機Ａがインターネットに接続されていると判定されると（ステップＳ４２；ＹＥＳ）、通信部３を介して、インターネット上で複写機Ｂの仕向け言語での上記種類のスタンプが検索される。
【００６４】
インターネット上での検索の結果、インターネット上に上記スタンプ画像のデータがある場合（ステップＳ４３；ＹＥＳ）、当該スタンプ画像データが取得され、画像処理部６において、スキャナ部４で読み込まれた原稿画像（スキャナ画像）に、インターネット上から取得されたスタンプ画像データが組み込まれ（ステップＳ４４）、スタンプ画像が組み込まれた画像データが、通信部３を介して複写機Ｂに送信され（ステップＳ４５）、本処理が終了する。
【００６５】
ステップＳ４２において、複写機Ａがインターネットに接続されていないと判定されると（ステップＳ４２；ＮＯ）、操作パネルに「スタンプ画像なし」が表示され（ステップＳ４６）、本処理が終了する。
【００６６】
また、複写機Ａがインターネットに接続されていても、インターネット上に上記スタンプ画像データが存在しない場合（ステップＳ４３；ＮＯ）、ステップＳ４６に移行され、操作パネルに「スタンプ画像なし」が表示され、本処理が終了する。
【００６７】
次に、複写機Ａからの画像出力命令を受信した複写機Ｂ側（受信側）の動作を説明する。以下では、複写機Ｂは、スタンプ機能を有し、その要部構成は、図２に示した複写機Ａの要部構成と同一であるものとする。
【００６８】
複写機Ａとの通信において、通信部を介して画像出力命令が受信されると（ステップＴ１）、まず、複写機Ｂの制御部により、受信した画像出力命令から、スタンプ出力指定の有無が判定される（ステップＴ２）。ステップＴ２において、スタンプ出力指定がないと判定された場合（ステップＴ２；ＮＯ）、プリンタ部において、複写機Ａから受信した画像出力命令に基づいて、通常の画像出力が行われ（ステップＴ３）、本処理が終了する。
【００６９】
ステップＴ２において、スタンプ出力指定があると判定された場合（ステップＴ２；ＹＥＳ）、複写機Ａから送信されたスタンプ情報から、スタンプの言語と、スタンプの種類が取り出され、スタンプ画像保存部において、当該スタンプ情報で指定された言語及び種類のスタンプ画像が検索される。
【００７０】
スタンプ画像保存部に、指定されたスタンプ画像がある場合（ステップＴ４；ＹＥＳ）、スタンプ画像保存部から、当該スタンプ画像から取り出される（ステップＴ５）。画像処理部では、複写機Ａから送信された読取原稿の画像データ（スキャナ画像）と、ステップＴ５でスタンプ画像保存部から取り出されたスタンプ画像データとが合成され（ステップＴ６）、プリンタ部において、この合成された画像データが印刷出力され（ステップＴ７）、本処理が終了する。
【００７１】
スタンプ画像保存部に、指定されたスタンプ画像がない場合は（ステップＴ４；ＮＯ）、複写機Ａから送信されたスタンプ画像が取り出される（ステップＴ８）。画像処理部では、複写機Ａから送信された読取原稿（スキャナ画像）の画像上の、上記スタンプ情報で指定された位置に、ステップＴ８で取り出されたスタンプ画像のデータが合成され（ステップＴ９）、プリンタ部において、この合成画像データが印刷出力され（ステップＴ１０）、本処理が終了する。
【００７２】
以上のように、本実施の形態の複写機Ａによれば、接続先の複写機の仕向け情報やスタンプ機能の有無等に基づいて、スタンプ画像の出力形態を選択して、当該複写機に出力することにより、様々な種類の複写機に対して、適切なスタンプ画像出力が可能になる。
【００７３】
特に、接続先の複写機にスタンプ機能が搭載されていない場合、読取原稿にスタンプ画像を組み込み、スタンプ画像が組み込まれた画像データを送信することで、スタンプ機能が搭載されていない複写機であってもスタンプ画像出力が可能になる。
【００７４】
また、自機と接続先複写機の仕向け言語が異なっていても、スタンプ画像保存部１０やインターネット上から、接続先複写機の仕向け言語でのスタンプを取得することで、接続先複写機の仕向け言語でのスタンプ画像出力が可能になる。
【００７５】
更に、スタンプ画像を自機の仕向け言語で出力するか、接続先の複写機の仕向け言語で出力するかを、オペレータの判断により選択可能にしたことにより、スタンプ画像出力の利便性を向上させることができる。例えば、自機の仕向け言語ではスタンプ画像の内容が通じないと判断されたときは、接続先複写機の仕向け言語での出力を選択することで、適切なスタンプ画像出力が可能になる。
【００７６】
また、接続先複写機が、自機が保有するスタンプ画像と同一種類のスタンプ画像を保有している場合、スタンプ画像自体を送信する必要がなくなり、画像出力の効率化を図ることができる。
【００７７】
更に、接続先複写機にスタンプ機能が搭載されていない場合、スタンプ画像の出力を停止可能にしたことにより、接続先複写機での異常動作の発生を防ぐことができる。
【００７８】
なお、本実施の形態の記載内容は、上述の内容に限定されるものではなく、本発明の趣旨を逸脱しない範囲で適宜変更可能である。
【００７９】
例えば、本実施の形態では、複写機Ｂに出力するスタンプ画像を、自機の仕向け言語で出力するか、接続先である複写機Ｂの仕向け言語で出力するかを、自機のオペレータに選択させるようにしたが、事前の設定により、自動的に接続先の複写機の仕向け言語で出力できるようにしてもよい。同様に、事前の設定により、自動的に、図３のステップＳ３で選択されたスタンプ画像で使用されている言語で出力できるようにしてもよい。
【００８０】
また、本実施の形態では、複写機Ｂにスタンプ機能が搭載されていない場合、自機のオペレータにより、スタンプ画像出力の実行や停止が指定されたが、事前の設定により、スタンプ機能を搭載しない複写機に対しては、制御部１の制御によって、自動的にスタンプ画像出力を停止するようにしてもよい。
【００８９】
【発明の効果】
請求項１記載の発明によれば、自装置に接続された外部の画像形成装置にスタンプ機能が搭載されていなくても、前記外部の画像形成装置の仕向け言語でのスタンプ画像出力が可能になる。
【図面の簡単な説明】
【図１】本発明の画像形成装置を適用した複写機Ａを含む複写システム１００の全体構成を示す図。
【図２】本発明の画像形成装置を適用した複写機Ａの要部構成を示すブロック図。
【図３】複写機Ａが他の複写機にスタンプ画像の出力命令を送信する場合の処理を示すフローチャート。
【図４】スタンプ画像の出力先複写機にスタンプ機能が搭載されている場合の、複写機Ａ側の処理を示すフローチャート。
【図５】スタンプ画像の出力先複写機にスタンプ機能が搭載されていない場合の、複写機Ａ側の処理を示すフローチャート。
【図６】スタンプ画像の出力命令を受信した複写機側の処理を示すフローチャート。
【符号の説明】
１    制御部
２    操作部
３    通信部
４    スキャナ部
５    プリンタ部
６    画像処理部
７    通信情報解析部
８    仕向情報比較部
９    仕向情報部
１０    スタンプ画像保存部
１００  複写システム
Ａ、Ｂ、Ｃ、Ｄ    複写機
【図１】
0003969174.tif 000002
【図２】
0003969174.tif 000003
【図３】
0003969174.tif 000004
【図４】
0003969174.tif 000005
【図５】
0003969174.tif 000006
【図６】
0003969174.tif 000007